(57)【特許請求の範囲】
【請求項１】
並列する２つのサーミスタから構成される測温部、および、該２つのサーミスタの一端にそれぞれ連結される２つの第１端子および第２端子と該２つのサーミスタの他端に接続される共通の接地端子とから構成される接続部を有する第１体温測定用プローブと、１つのサーミスタから構成される測温部、および、該１つのサーミスタの一端に接続される第２端子と該１つのサーミスタの他端に接続される第１端子および接地端子とから構成される接続部を有する第２体温測定用プローブとの何れかを接続するために、前記第１端子、第２端子、および接地端子とそれぞれ接続される３つの第１入力端子、第２入力端子、および接地入力端子をそれぞれ有して前記接続部に着脱可能に接続される接続装置と、
該接続装置の第１入力端子および第２入力端子の間に設けられた第１抵抗体、および該第１入力端子と電源との間に設けられた第２抵抗体と
を備え、予め設定された関係から該第２入力端子の電圧に基づいて体温を測定する体温測定装置であって、
前記第１体温測定用プローブで体温を測定するための第１の関係と、前記第２体温測定用プローブで体温を測定するための第２の関係とを予め記憶する記憶装置と、
前記第１入力端子の電圧に基づいて、前記第１体温測定用プローブと第２体温測定用プローブとの何れが前記接続装置に接続されているかを判定する体温測定用プローブ判定手段と、
該体温測定用プローブ判定手段により前記第１体温測定用プローブが接続されていると判定された場合には、前記記憶装置に記憶された第１の関係から前記第２入力端子の電圧に基づいて体温を決定し、該体温測定用プローブ判定手段により前記第２体温測定用プローブが接続されていると判定された場合には、前記記憶装置に記憶された第２の関係から前記第２入力端子の電圧に基づいて体温を決定する体温決定手段と
を、含むことを特徴とする体温測定装置。
【発明の詳細な説明】
【０００１】
【発明の属する技術分野】
本発明は、特性の異なる２種類の体温測定用プローブを取り換えて使用する体温測定装置に関するものである。
【０００２】
【従来の技術】
医療用によく用いられる体温測定用プローブとして、図２に示されるような並列する２つのサーミスタから構成される測温部、および、それら２つのサーミスタの一端にそれぞれ接続される２つの第１端子および第２端子とそれら２つのサーミスタの他端に接続される共通の接地端子とから構成される接続部を有する第１体温測定用プローブと、図３に示されるような１つのサーミスタから構成される測温部、および、その１つのサーミスタの一端に接続される第２端子とその１つのサーミスタの他端に接続される第１端子および接地端子とから構成される接続部を有する第２体温測定用プローブとが知られている。
【０００３】
体温測定装置は、上記第１端子、第２端子、および接地端子とそれぞれ接続される第１入力端子、第２入力端子、および接地入力端子を有して接続部に着脱可能に接続される接続装置を備えており、接続装置の第１入力端子および第２入力端子の間には第１抵抗体が設けられ、第１入力端子と電源との間には第２抵抗体が設けられていると共に、第１体温測定用プローブで体温を測定するための第１の関係と、第２体温測定用プローブで体温を測定するための第２の関係の何れかを選択する選択スイッチが設けられており、その選択スイッチで選択された関係から、第２入力端子の電圧に基づいて体温を決定するように構成されていた。
【０００４】
【発明が解決しようとする課題】
しかしながら、これらの体温測定用プローブはその外形が非常に類似していることから取り違えて接続することも多く、選択スイッチで体温測定用プローブに適合しない関係を選択して体温を誤測定することも多かったのである。
【０００５】
本発明は、以上のような事情を背景として為されたものであり、その目的とするところは、体温測定用プローブを体温測定装置へ取り違えて接続した場合でも、体温を誤測定しない体温測定装置を提供することにある。
【０００６】
【課題を解決するための手段】
上記目的を達成するために、本発明は、並列する２つのサーミスタから構成される測温部、および、それら２つのサーミスタの一端にそれぞれ連結される２つの第１端子および第２端子とそれら２つのサーミスタの他端に接続される共通の接地端子とから構成される接続部を有する第１体温測定用プローブと、１つのサーミスタから構成される測温部、および、その１つのサーミスタの一端に接続される第２端子とその１つのサーミスタの他端に接続される第１端子および接地端子とから構成される接続部を有する第２体温測定用プローブとの何れかを接続するために、前記第１端子、第２端子、および接地端子とそれぞれ接続される３つの第１入力端子、第２入力端子、および接地入力端子をそれぞれ有して前記接続部に着脱可能に接続される接続装置と、その接続装置の第１入力端子および第２入力端子の間に設けられた第１抵抗体、およびその第１入力端子と電源との間に設けられた第２抵抗体とを備え、予め設定された関係からその第２入力端子の電圧に基づいて体温を測定する体温測定装置であって、(a) 前記第１体温測定用プローブで体温を測定するための第１の関係と、前記第２体温測定用プローブで体温を測定するための第２の関係とを予め記憶する記憶装置と、(b) 前記第１入力端子の電圧に基づいて、前記第１体温測定用プローブと第２体温測定用プローブとの何れが前記接続装置に接続されているかを判定する体温測定用プローブ判定手段と、(c) その体温測定用プローブ判定手段により前記第１体温測定用プローブが接続されていると判定された場合には、前記記憶装置に記憶された第１の関係から前記第２入力端子の電圧に基づいて体温を決定し、その体温測定用プローブ判定手段により前記第２体温測定用プローブが接続されていると判定された場合には、前記記憶装置に記憶された第２の関係から前記第２入力端子の電圧に基づいて体温を決定する体温決定手段とを、含むことを特徴とする。
【０００７】
【発明の効果】
本発明によれば、体温測定用プローブ判定手段により、第１入力端子の電圧に基づいて、第１体温測定用プローブと第２体温測定用プローブとの何れが接続装置に接続されているかが自動的に判定され、体温決定手段により、第１体温測定用プローブが接続されていると判定された場合には、記憶装置に記憶されている第１体温測定用プローブで体温を測定するための第１の関係から第２入力端子の電圧に基づいて体温が決定され、第２体温測定用プローブが接続されていると判定された場合には、記憶装置に記憶されている第２体温測定用プローブで体温を測定するための第２の関係から第２入力端子の電圧に基づいて体温が決定される。このため、体温測定用プローブを体温測定装置へ取り違えて接続した場合でも、常に適切な関係に基づいて体温が決定されることから、体温を誤測定することが無くなる。
【０００８】
【発明の実施の形態】
以下、本発明の一実施例を図面に基づいて詳細に説明する。図１は、本発明が適用された体温測定装置１０と第１体温測定用プローブ１２の外観構成を例示する図である。図１において、第１体温測定用プローブ１２は一端部に測温部１６を有しており、他端部に接続部１８を有している。尚、第２体温測定用プローブ１４も測温部１６および接続部１８を備えているが、第１体温測定用プローブ１２と略同じ外観構成を有するため図示は省略する。体温測定装置１０には接続装置２０が設けられており、第１体温測定用プローブ１２の接続部１８は体温測定装置１０の接続装置２０に着脱可能に接続される。
【０００９】
図２は、体温測定装置１０に第１体温測定用プローブ１２が接続された場合の電気的な構成を説明している。図２において、第１体温測定用プローブ１２の測温部１６は２つのサーミスタ２２、２３から構成されており、接続部１８はサーミスタ２２の一端に電線２９を介して接続される第１端子２５と、サーミスタ２３の一端に電線３０を介して接続される第２端子２６と、サーミスタ２２および２３の他端に電線３１を介して接続される共通の接地端子２７とから構成されている。サーミスタ２２、２３は温度が上昇するにつれて抵抗値が減少する負特性（ＮＴＣ）サーミスタである。
【００１０】
体温測定装置１０の接続装置２０は第１入力端子３２、第２入力端子３３、接地入力端子３４を有しており、前記接続部１８の第１端子２５、第２端子２６、および接地端子２７とそれぞれ接続される。第２入力端子３３は電線３８を介して増幅器４４に接続されている。参照電圧Ｖref （Ｖ）を付与する電源Ｅは抵抗４３が中間部に設けられた電線３７を介して電線３８に接続されている。第１入力端子３２は抵抗４２が中間部に設けられた電線３６を介して、電線３７の電源Ｅとは反対側の端部に接続されている。更に、第１入力端子３２は電線３９を介して増幅器４５に接続されている。接地入力端子３４は電線４０を介して接地されている。尚、抵抗４２は前記第１抵抗体に相当し、抵抗４３は前記第２抵抗体に相当する。
【００１１】
増幅器４４、４５はそれぞれＡ／Ｄ変換器４６、４７に接続されており、Ａ／Ｄ変換器４６、４７はそれぞれ電子制御装置６２に接続されている。電子制御装置６２は、ＣＰＵ６３、ＲＯＭ６４、ＲＡＭ６５、および図示しないＩ／Ｏポート等を備えた所謂マイクロコンピュータにて構成されており、ＣＰＵ６３は、ＲＯＭ６４に予め記憶されたプログラムに従ってＲＡＭ６５の記憶機能を利用しつつ信号処理を実行する。具体的には、Ａ／Ｄ変換器４７から供給される第１入力端子３２の電圧を表す信号に基づいて、何れの体温測定用プローブが接続されているかを自動的に判定し、ＲＯＭ６４に予め記憶された図５に例示される第１体温測定用プローブ１２で体温を測定するための第１の関係と、第２体温測定用プローブ１４で体温を測定するための第２の関係の何れかを読み込むと共に、Ａ／Ｄ変換器４６から供給される第２入力端子３３の電圧を表す信号に基づいて体温を決定し、Ｉ／Ｏポートから表示信号を出力して表示器５０により体温を表示させる。尚、ＲＯＭ６４は上記第１および第２の関係を記憶するための記憶装置としても機能している。
【００１２】
図３は、体温測定装置１０に第２体温測定用プローブ１４が接続された場合の電気的な構成を説明している。図３において、第２体温測定用プローブ１４の測温部１６は１つのサーミスタ５２から構成されており、接続部１８はサーミスタ５２の一端に電線５９を介して接続される第２端子５５と、サーミスタ５２の他端に途中から二股に分かれる電線６０を介して接続される第１端子５４および接地端子５６とから構成されている。第１端子５４、第２端子５５、および接地端子５６はそれぞれ体温測定装置１０の第１入力端子３２、第２入力端子３３、接地入力端子３４に接続される。サーミスタ５２も負特性（ＮＴＣ）サーミスタである。
【００１３】
図４は、電子制御装置６２の制御機能の要部を説明する機能ブロック線図である。図４において、体温測定用プローブ判定手段７０は、第１体温測定用プローブ１２が接続されている場合は、サーミスタ２２、２３の抵抗値を仮にそれぞれＲＴ2 、ＲＴ1 とし、抵抗４２、４３の抵抗値をＲ2 、Ｒ1 とすると、第１入力端子３２の電圧はＶref ・｛ＲＴ2 ／（Ｒ1 ＋Ｒ2 ＋ＲＴ2 ）｝（Ｖ）となるため、Ａ／Ｄ変換機４７から供給される第１入力端子３２の電圧を表す信号が何らかの電圧値を表している場合には第１体温測定用プローブ１２が接続されていると判定する。一方、第２体温測定用プローブ１４が接続されている場合は、第１端子５６が接地されていることから第１入力端子３２の電圧は０（Ｖ）となるため、Ａ／Ｄ変換器４７から供給される第１入力端子３２の電圧を表す信号が０（Ｖ）を表している場合には第２体温測定用プローブ１４が接続されていると判定する。
【００１４】
体温決定手段７２は、体温測定用プローブ判定手段７０により第１体温測定用プローブ１２が接続されていると判定された場合には、例えば図５に示されるような第１体温測定用プローブ１２が接続されている場合の第２入力端子３３の電圧と体温との関係を表す第１特性曲線をＲＯＭ６４から読み出し、その第１特性曲線に基づいて第２入力端子３３の電圧から被測定者の体温を決定し、第２体温測定用プローブ１４が接続されていると判定された場合には、第２体温測定用プローブ１４が接続されている場合の第２入力端子３３の電圧と体温との関係を表す第２特性曲線をＲＯＭ６４から読み出し、その第２特性曲線に基づいて第２入力端子３３の電圧から被測定者の体温を決定する。
【００１５】
図６は、電子制御装置６２の制御作動の要部を説明するフローチャートである。図６において、体温測定用プローブ判定手段７０に対応するステップＳ１では、Ａ／Ｄ変換器４７から供給される第１入力端子３２の電圧を表す信号が０（Ｖ）を表しているか否かが判断される。この判断が肯定された場合は接続装置２０に接続されているのは第２体温測定用プローブ１４であるため、体温決定手段７２に対応するステップＳ２、Ｓ３が実行される。すなわち、先ずステップＳ２において、第２体温測定用プローブ１４で体温を決定するための第２特性曲線がＲＯＭ６４から読み込まれ、続くステップＳ３において、第２特性曲線に基づいてＡ／Ｄ変換器４６から供給される第２入力端子３３の電圧を表す信号から被測定者の体温が決定される。
【００１６】
一方、ステップＳ１の判断が否定された場合は、Ａ／Ｄ変換器４７から供給される第１入力端子３２の電圧を表す信号は何らかの電圧値を表しており、接続装置２０に接続されているのは第１体温測定用プローブ１２であるため、体温決定手段７２に対応するステップＳ４、Ｓ５が実行される。すなわち、先ずステップＳ４において、第１体温測定用プローブ１２で体温を決定するための第１特性曲線がＲＯＭ６４から読み込まれ、続くステップＳ５において、第１特性曲線に基づいてＡ／Ｄ変換器４６から供給される第２入力端子３３の電圧を表す信号から被測定者の体温が決定される。
【００１７】
上述のように本実施例によれば、体温測定用プローブ判定手段７０に対応するステップＳ１において、第１入力端子３２の電圧に基づいて、第１体温測定用プローブ１２と第２体温測定用プローブ１４との何れが体温測定装置１０の接続装置２０に接続されているかが自動的に判定され、体温決定手段７２に対応するステップＳ２〜Ｓ３において、第１体温測定用プローブ１２が接続されていると判定された場合には、ＲＯＭ６４に記憶されている第１体温測定用プローブ１２で体温を決定するための第１特性曲線に基づいて、第２入力端子３３の電圧から体温が決定され、体温決定手段７２に対応するステップＳ４〜Ｓ５において、第２体温測定用プローブ１４が接続されていると判定された場合には、ＲＯＭ６４に記憶されている第２体温測定用プローブ１４で体温を決定するための第２特性曲線に基づいて、第２入力端子３３の電圧から体温が決定されることから、体温測定用プローブを体温測定装置１０へ取り違えて接続した場合でも、常に適切な関係に基づいて体温が決定されるため、体温を誤測定することが無くなる。
【００１８】
以上、本発明の一実施例を図面に基づいて詳細に説明したが、本発明はその他の態様においても適用され得るものである。
【００１９】
例えば、前述の実施例では、負特性（ＮＴＣ）サーミスタが用いられた体温測定用プローブが記載されていたが、正特性（ＰＴＣ）サーミスタが用いられた体温測定用プローブが用いられることもあり得る。その場合は、第２入力端子３３の電圧と体温との関係を表す特性曲線は、図５に示されるものとは異なったものが予め実験的に求められる。
【００２０】
また、前述の実施例では、２個のＡ／Ｄ変換器４６および４７が用いられているが、それに替えて時分割駆動される１個のＡ／Ｄ変換器が用いられていても良い。
【００２１】
本発明は、その主旨を逸脱しない範囲において、その他種々の変更が加えられ得るものである。
【図面の簡単な説明】
【図１】本発明が適用された第１体温測定用プローブと体温測定装置の外観構成を例示する図である。
【図２】図１の第１体温測定用プローブと体温測定装置との電気的な構成を説明する図である。
【図３】本発明が適用された第２体温測定用プローブと体温測定装置との電気的な構成を説明する図である。
【図４】図２、図３に示される電子制御装置の制御機能の要部を説明する機能ブロック線図である。
【図５】第１体温測定用プローブが接続されている場合の第２入力端子と体温との関係を表す第１特性曲線と、第２体温測定用プローブが接続されている場合の第２入力端子と体温との関係を表す第２特性曲線とを例示する図である。
【図６】図２、図３に示される電子制御装置の制御作動の要部を説明するフローチャートである。
【符号の説明】
１０：体温測定装置
１２：第１体温測定用プローブ
１４：第２体温測定用プローブ
１６：測温部
１８：接続部
２０：接続装置
２２、２３、５２：サーミスタ
２５、５４：第１端子
２６、５５：第２端子
２７、５６：接地端子
３２：第１入力端子
３３：第２入力端子
３４：接地入力端子
４２：抵抗（第１抵抗体）
４３：抵抗（第２抵抗体）
６４：ＲＯＭ（記憶装置）
７０：体温測定用プローブ判定手段
７２：体温決定手段
【図１】
0003746860.tif 000002
【図２】
0003746860.tif 000003
【図３】
0003746860.tif 000004
【図４】
0003746860.tif 000005
【図５】
0003746860.tif 000006
【図６】
0003746860.tif 000007